(57)【要約】      （修正有）【課題】種々のウイルスの感染防止、騒音防止ができ、さらに取り付け、持ち運びに便利で、簡易組立効果を有している装飾性を増した飛沫防止ガラスパーティションを提供する。【解決手段】１〜２個の平板状のガラス基板２を水平方向に立設できる２〜３個の木製の架台３を設けてなる簡易組立と仕切り間隔の調整とを可能にした飛沫飛散防止用遮蔽具であって、ガラス基板の表面にプリントにより装飾模様、並びに文字標識的表示がされている飛沫防止ガラスパーティションである。【選択図】図２
0003231218.tif 000002
【実用新案登録請求の範囲】
【請求項１】
１〜２個の平板状のガラス基板を水平方向に立設できる２〜３個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになっていることを特徴とする飛沫防止ガラスパーティション。
【請求項２】
平板状のガラス基板は、厚さ３〜５ｍｍで、高さ４００〜６００ｍｍ、幅４００〜１０００ｍｍであって、透明性飛沫防止フイルム貼りガラスの上部Ｒ曲面を持つ正方形、又は長方形の形状で、ガラス表面には厚さ２０〜１００μｍのポリエステル系又は塩化ビニール系フイルムを粘着剤によって張っており、
木製の架台は、無垢材、又はＭＤＦであって、厚さ２０〜５０ｍｍで底部の幅２００〜４００ｍｍ、高さ３００〜５００ｍｍの厚板材の逆Ｔ字型形状であって、前記平板状のガラス基板を掛けるために、前記厚板材の中心部の高さ方向に幅３〜７ｍｍ、長さ２５０〜４５０ｍｍの切り抜き貫通溝を設けて、木製の架台間に平板状の透明性飛沫防止フイルム貼りガラス基板の上部Ｒ曲面部を残すように嵌め込み連結させることができる状態になっていることを特徴とする請求項１に記載の飛沫防止ガラスパーティション。
【請求項３】
前記透明性ガラス基板の表面に  飛沫防止フイルム貼り、その上に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、透明樹脂製基板の表面の５〜８０％の面積に直接プリントされていることを特徴とする請求項１、又は請求項２に記載の飛沫防止ガラスパーティション。
【考案の詳細な説明】
【技術分野】
【０００１】  本考案は、主にウイルス感染防止に対して密集密閉を防ぐために、人の集合での食事時や作業時において、周囲からの密接を緩和、遮断し、人の集中を緩和させるための飛沫防止ガラスパーティションに関するものである。
【背景技術】
【０００２】  従来の技術として、卓上、机上での食事、勉強や読書等に用いる卓上、机上用衝立において、段ボール製の板状体に、縦目方向に屈折部を設けて複数の遮蔽板部に区画し、使用時には、屈折部から遮蔽板部を所望の角度に設定して自立できるようにし、不使用時には、屈折部から遮蔽板部を折り畳みできるようにした机上用衝立がある（特許文献１参照）。【０００３】衝立状の骨格部分に被せるカバーとして機能し、自然災害発生時等には、防寒用具として機能するという経済性に優れた多様な用途を併有する多目的カバーとして、二つ折り重ね合わせ形態と、展開形態とに変更可能に構成した四角形状又はほぼ四角形状の断熱性・保温性を有するシート状のカバー本体と、二つ折り重ね合わせ形態におけるカバー本体２の両側辺部を閉塞し、上・下辺部のうちのいずれかの一辺部側のみを開口状態とする一対の線ファスナーと、を有し、形態の変更に応じて、卓球競技用フェンスとして用いるように形成されている衝立状の骨格部分に被せる卓球フェンスカバー機能、寝袋等の身体用防寒用具としての機能、更には、防寒用敷物シートとしての機能を発揮させる構成としたものが提案されている（特許文献２参照）。【０００４】事務机、学童机、ベッドの頭部に載設される衝立に関するものであり、刻溝面を持つ杉板を有する脳活性化並びに汚染物質浄化の機能性を持つ杉木口スリット材の衝立として、室内に設置して、リラックス、集中力の増大に役立つ木製衝立において、厚さ１０〜２０ｍｍの樹齢２０年以上の杉板材であって、前記杉板材の片面に４〜８ｍｍの幅、４〜８ｍｍの深さの角型溝部を木目に直角方向に連続的に線状刻設した刻溝面と、他面には表面加工した平滑な自然模様を呈している杉板面であり、前記杉板材の刻溝面を内側にして２０〜６０ｍｍ厚さの桟枠にて嵌め込み式にした枠付き刻溝面を持つ杉板を、固定台付き１体、又は丁番付き２〜３体になっているものが提案されている（特許文献３参照）。【０００５】人の集合での食事時や作業時において、周囲からの密接を遮断し、人の集中を緩和するための飛沫防止ガラスパーティションにおいて、要望される箇所によって対応が自由で、調整を簡単にできて、周囲の雰囲気を改善させる模様を示したものは存在していない。
【先行技術文献】
【特許文献】
【０００６】
【特許文献１】実開昭６３−２７１４５号公報
【特許文献２】特開２０１７−８００１８号公報
【特許文献３】実登第３２２００６３号公報
【考案の概要】
【考案が解決しようとする課題】
【０００７】  なお、パーティション、衝立、仕切りの従来技術は、種々折り畳み・脚部・角部円弧であり、それ以外の遮蔽、及び組立機能及び効果を有していない。囲まれた空間に対する外部からの視覚的な干渉に加えて聴覚的な干渉も低減するために、上面部材が設けられている。しかし、この上面部材によって、ガラスのパーティション、衝立の構成が複雑になるとともに、衝立の折り畳みおよび組立の作業が煩雑になる。また、遮蔽・遮音効果が期待できるのは、上面部材の位置を通過する音の出入りのみであり、衝立の壁部自体を介して伝わる音に関しては考慮されていない。最近のコロナウイルスの感染で三密を防ぐ効果も期待される飛沫防止ガラスパーティションが要望されている。【０００８】遮蔽効果を持つ飛沫防止ガラスパーティションは、視覚的にも聴覚的にも感染防止にも、仕切りに囲まれた空間への外部からの騒音、環境での干渉を低減できる。しかし、パーティションの用途に応じた特定の雰囲気の遮蔽と騒音の防止を行うものではない。すなわち、全ての音に対して吸音または遮音の効果を発揮しようとするため、今までは吸音部および遮音部の重量や厚さやコストが大きくなる可能性がある。これは、細菌、ウイルスの飛散の防止を含めて、三密防止に関して世間は関心が高く、騒音防止の吸音性を高めることも含めて、飛散防止効果の仕切りの飛沫防止ガラスパーティションの期待が高いためのものであり、卓上、机上で周囲の雰囲気を緩和させて、簡単に組み立て、設置できる飛沫防止ガラスパーティション、衝立の用途に特に適したものでは少ない。【０００９】本考案の目的は、机上または卓上に置かれるか、または室内に配置されて、壁部に囲まれた空間を視覚的、環境的に他部から遮断、隔絶させるとともに、卓上、机上で周囲の雰囲気を緩和させるパーティション、装飾的衝立の用途に応じた雰囲気緩和効果と吸音効果を発揮できる周囲の雰囲気の改善と緩和を方法および空間仕切り方法の飛沫防止ガラスパーティションを提供することにある【００１０】本考案は、上記問題点に鑑み、周囲の雰囲気を向上させ、食欲、勉学を向上させることを目的として、種々のウイルスの感染防止、騒音防止のために、さらに取り付け、持ち運びに便利で、滑り止め効果を有している装飾性を増した簡易組立できる空間仕切り、ガラスを面材としてデザイン性も重視してしかも機能として清浄性を持たせ、店舗のイメージも重要視した飛沫防止ガラスパーティションを提供することを目的とする。
【課題を解決するための手段】
【００１１】１〜２個の平板状のガラス基板を水平方向に立設できる２〜３個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになって、ガラスを面材としてデザイン性も重視してしかも機能として清浄性を持たせ、店舗のイメージも重要視した飛沫防止ガラスパーティションが提供できる。【００１２】平板状のガラス基板は、厚さ３〜５ｍｍで、高さ４００〜６００ｍｍ、幅４００〜１０００ｍｍであって、透明性飛沫防止フイルム貼りガラスの上部Ｒ曲面を持つ正方形、又は長方形の形状で、ガラス表面には厚さ２０〜１００μｍのポリエステル系又は塩化ビニール系フイルムを粘着剤によって張っており、木製の架台は、厚さ２０〜５０ｍｍで底部の幅２００〜４００ｍｍ、高さ３００〜５００ｍｍの厚板材の逆Ｔ字型形状であって、前記平板状のガラス基板を掛けるために、前記厚板材の中心部の高さ方向に幅３〜７ｍｍ、長さ２５０〜４５０ｍｍの切り抜き貫通溝を設けて、木製の架台間に平板状の透明性飛沫防止フイルム貼りガラス基板の上部Ｒ曲面部を残すように嵌め込み連結させることができる状態になっている。【００１３】前記透明性ガラス基板の表面に  飛沫防止フイルム貼り、その上に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、透明樹脂製基板の表面の５〜８０％の面積に直接プリントされている。
【考案の効果】
【００１４】種々のウイルス、殺菌の感染防止、騒音防止のために、さらに取り付け、持ち運びに便利で、滑り止め効果を有している装飾性を増した飛沫防止ガラスパーティションを提供する。卓上、机上で周囲の雰囲気を緩和させて、簡単に連結したパーティションを組立可能であり、さらに表面に装飾性を施して、仕切り的衝立の用途に応じた三密防止と雰囲気緩和の効果を発揮できる周囲の雰囲気を精神的改善させる。
【図面の簡単な説明】
【００１５】
【図１】  飛沫防止ガラスパーティションの斜視図。
【図２】  飛沫防止ガラスパーティションのガラス基板と架台の形状に関する拡大図。Ａ：ガラス基板  Ｂ：架台
【図３】  飛沫防止ガラスパーティションの表面にプリントする絵柄の図。Ａ：絵柄付  Ｂ：ストライプ付
【図４】  飛沫防止ガラスパーティションの二連結した状態図。
【考案を実施するための形態】
【００１６】以下、本考案に係る簡易卓上用パーティションについて以下図面に基づいて説明する。
【実施例１】通常製品の状態【００１７】１個の平板状のガラス基板を水平方向に立設できる２個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになっている飛沫防止ガラスパーティションである。【００１８】平板状のガラス基板は、ガラスサイズは、（Ｗ）９００ｘ（Ｈ）４５０、全体の寸法は（Ｗ）９００ｘ（Ｈ）５５０ｘ（Ｄ）３００である。ガラス重量は約３Ｋｇである。厚さ３ｍｍで、高さ４５０ｍｍ、幅９００ｍｍであって、ガラス表面には厚さ５０μｍのポリエステル系フイルムを粘着剤によって張った透明性飛沫防止フイルム貼りガラスの上部Ｒ曲面を持つ長方形の形状であり、木製の架台は、厚さ２０ｍｍで底部の幅３００ｍｍ、高さ３００ｍｍの厚板材の逆Ｔ字型形状であって、前記平板状のガラス基板を掛けるために、前記厚板材の中心部の高さ方向に幅３．１ｍｍ、長さ２００ｍｍの切り抜き貫通溝を設けて、木製の架台間に平板状の透明性飛沫防止フイルム貼りガラス基板を上部Ｒ曲面部を残すように嵌め込み連結させることができる状態になっている。【００１９】前記透明性ガラス基板の表面に  飛沫防止フイルム貼り、その上に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、透明樹脂製基板の表面の８０％の面積に直接プリントされている。
【実施例２】特殊な図、文字の状態【００２０】１個の平板状のガラス基板を水平方向に立設できる２個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになっている飛沫防止ガラスパーティションである。【００２１】平板状のガラス基板は、厚さ３ｍｍで、高さ４５０ｍｍ、幅９００ｍｍであって、透明性飛沫防止フイルム貼りガラスの上部Ｒ曲面を持つ正方形、又は長方形の形状であり、木製の架台は、厚さ２０ｍｍで底部の幅３００ｍｍ、高さ３００ｍｍの厚板材の逆Ｔ字型形状であって、前記平板状のガラス基板を掛けるために、前記厚板材の中心部の高さ方向に幅３．１ｍｍ、長さ２００ｍｍの切り抜き貫通溝を設けて、木製の架台間に平板状の透明性飛沫防止フイルム貼りガラス基板を上部Ｒ曲面部に残すように嵌め込み連結させることができる状態になっている。【００２２】前記透明性ガラス基板の表面に  飛沫防止フイルム貼り、その上に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、透明樹脂製基板の表面の８０％の面積に直接プリントされている。
【実施例３】二連結した状態【００２３】２個の平板状のガラス基板を水平方向に立設できる３個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになっている飛沫防止ガラスパーティションである。【００２４】平板状のガラス基板は、厚さ３ｍｍで、高さ４５０ｍｍ、幅９００ｍｍであって、透明性飛沫防止フイルム貼りガラスの上部Ｒ曲面を持つ正方形、又は長方形の形状であり、木製の架台は、厚さ２０ｍｍで底部の幅３００ｍｍ、高さ３００ｍｍの厚板材の逆Ｔ字型形状であって、前記平板状のガラス基板を掛けるために、前記厚板材の中心部の高さ方向に幅３．１ｍｍ、長さ２００ｍｍの切り抜き貫通溝を設けて、木製の架台間に平板状の透明性飛沫防止フイルム貼りガラス基板を上部Ｒ曲面部に残すように嵌め込み連結させることができる状態になっている。【００２５】前記透明性ガラス基板の表面に  飛沫防止フイルム貼り、その上に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、透明樹脂製基板の表面の８０％の面積に直接プリントされている。
【符号の説明】
【００２６】１  パーティション
２  透明ガラス平板状基板
３  Ｔ字型架台
４  絵柄
５  ストライブ
６  切り抜き溝
７  Ｒ曲面
８  木製
９  テーブル
１０  椅子
【図１】
0003231218.tif 000003
【図２】
0003231218.tif 000004
【図３】
0003231218.tif 000005
【図４】
0003231218.tif 000006
【手続補正書】
【提出日】令和2年12月18日(2020.12.18)
【手続補正１】
【補正対象書類名】実用新案登録請求の範囲
【補正対象項目名】全文
【補正方法】変更
【補正の内容】
【実用新案登録請求の範囲】
【請求項１】
１〜２個の平板状のガラス基板を立設できる２〜３個の木製の架台を設けてなる簡易組立と仕切り間隔の調整とを可能にした飛沫飛散防止用遮蔽具であって、前記ガラス基板の表面にプリントにより装飾模様、並びに文字標識的表示に使用できるようになっていることを特徴とする飛沫防止ガラスパーティション。
【請求項２】
平板状のガラス基板は、厚さ３〜５ｍｍで、高さ４００〜６００ｍｍ、幅４００〜１０００ｍｍであって、透明性飛沫防止フイルム貼りガラス基板の上部Ｒ曲面を持つ正方形、又は長方形の形状で、ガラス基板の表面には厚さ２０〜１００μｍのポリエステル系又は塩化ビニール系フイルムを粘着剤によって張っており、
木製の架台は、無垢材、又はＭＤＦであって、厚さ２０〜５０ｍｍで底部の幅２００〜４００ｍｍ、高さ３００〜５００ｍｍの厚板材の逆Ｔ字型形状であって、前記平板状のガラス基板を掛けるために、前記厚板材の中心部の高さ方向に幅３〜７ｍｍ、長さ２５０〜４５０ｍｍの切り抜き貫通溝を設けて、木製の架台間に平板状の透明性飛沫防止フイルム貼りガラス基板の上部Ｒ曲面部を残すように嵌め込み連結させることができる状態になっていることを特徴とする請求項１に記載の飛沫防止ガラスパーティション。
【請求項３】
前記透明性飛沫防止フイルム貼りガラス基板に描かれている特殊模様の絵柄は、周囲の状況を情緒豊かにできる絵柄、文字であって、自然感を感じるような樹木、及び山々、また日本古来の装飾模様、また、花柄、樹木の模様、或いは卓上に関連する標識文字から選ばれたもので、平板状のガラス基板に張られた透明性飛沫防止フイルム表面の５〜８０％の面積に直接プリントされていることを特徴とする請求項１、又は請求項２に記載の飛沫防止ガラスパーティション。